(57)【要約】【課題】人工的に発生させた波により駆動する発電システムの提供。【解決手段】  第一レバーサポートフレーム１、第一レバー２、貯水容器５、フローティングボード６、第二レバーサポートフレーム７０、第二レバー６２、油圧シリンダー８１、シリンダー軸８１１、蓄圧タンク８４、油圧モータ８５で構成され、モータ減速機によって第一レバー１を駆動して直接フローティングボード６の一端を傾動させて貯水容器５内の水に高低に起伏する波が発生させ、この波に共鳴してフローティングボード他端側が得た駆動運動により第二レバーサポートフレーム７０に枢支された第二レバー６２を介してシリンダー軸８１１を往復駆動して油圧シリンダー８１内のオイルを加圧して蓄圧タンク８４に圧送し、該蓄圧タンクに蓄圧されたオイルにより油圧モータ８５を駆動して電力を発生する。【選択図】図１
0003216608.tif 000002
【実用新案登録請求の範囲】
【請求項１】
第一レバーサポートフレーム、第一レバー、貯水容器、フローティングボード、第二レバーサポートフレーム、第二レバー、油圧シリンダー、蓄圧タンク、油圧モータを含み、
上記第一レバーサポートフレームは、底部を基礎に固定されると共に上部に第一枢接部品を介して上記第一レバーをピボットスイング可能に支持し、
上記第一レバーは、その一端に第二枢接部品を介してプルロッドを枢接してその他端を第三枢接部品を介して上記フローティングボード一端に枢接し
該第一レバーの他端上下を滑車によって上下にガイドされた２本のケーブルに連繋し、該ケーブル他端をそれぞれクランクシャフトの前後両サイドに設置したフロントクランク及びリアクランクと枢接して、モータ減速機の軸心に設けたスプロケット或いはプーリーに卷回したチェーン或いはベルトを介して該クランクシャフトを駆動することにより、該第一レバーを往復動作せしめるようにし、
上記貯水容器は、その上方中間位置に第四枢接部品を介して上記フローティングボードを中間位置で枢接して傾動可能に支持することによって、前記プルロッドの上下往復動作に伴って傾動動作可能とし、このフローティングボード一端の傾動動作に伴って生じる貯水容器内の波がフローティングボード他端側で形成する共鳴作用による大きな運動エネルギーをフローティングボード他端で受けるようにし、
上記フローティングボードは、他端側に第五枢接部品を介して下端で枢設されたコネクティングロッドの他端を第六枢接部品を介して上記第二レバーの一端と枢接し、
該第二レバーは、基礎に固定した上記二レバーサポートフレームに枢接部品を介してピボットスイング可能に支持せしめると共に、その他端を第七枢接部品を介して可動コネクティングロッドの一端と可動的に接続して該可動コネクティングロッドの他端にコネクタを介して上記油圧シリンダーのシリンダー軸の外端と枢接してその上下往復動作によりオイルを加圧送給するようにし、
上記油圧シリンダーは、その上方に第一パイプラインを接続すると共に、該第一パイプラインに下方に向けて第二パイプラインを接続して、
該第二パイプライン一端を該油圧シリンダー下方に接続すると共に他端をオイルを保持するオイルタンクに接続して、該オイルタンク内のオイルを該第一、第二パイプラインを通じて前記油圧シリンダーに送給可能とし、
さらに該油圧シリンダーの上下をそれぞれ第三、第四パイプラインを通して蓄圧タンクの上下両側と接続し、これら第一、第二、第三、第四パイプラインにそれぞれ第一、第二、第三、第四チェックバルブを設けると共に、該第二パイプラインのオイルタンク側に第五チェックバルブを設けてなり、
上記蓄圧タンクは、前記油圧シリンダーのシリンダー軸が往復運動を行うと第三、第四パイプラインを通じてオイルを該蓄圧タンク内に圧送し、
上記油圧モータは、蓄圧タンクと第五パイプラインによって接続され、該第五パイプライン設けたプレッシャーレギュレーターコントロールバルブによって、蓄圧タンクから該第五パイプラインを通じて油圧モータに供給するオイルの流量を調整して蓄圧タンク内の圧力を調整すると共に前記油圧モータの回転速度をコントロールし、
さらに、該蓄圧タンクには圧力リリーフバルブを設け、該圧力リリーフバルブを第六パイプラインを通じて前述オイルタンクと接続して、該圧力リリーフバルブは、該蓄圧タンク内の圧力が設定値を超えると自動的に開放することにより、蓄圧タンク内のオイルをオイルタンクに送給し、設定値より下がると再度該圧力リリーフバルブは自動的に閉鎖して蓄圧タンク内のオイルのオイルタンクへの送給を停止し、
上記油圧モータは、蓄圧タンクから圧送されるオイルにより駆動されて減速装置を通じて発電機を作動させ、
該油圧モータからのオイルは第七パイプラインを通じて、第五チェックバルブを介して接続する前記第二パイプラインに送給されて循環するとことを特徴とする人工波駆動発電システムの構造。
【考案の詳細な説明】
【技術分野】
【０００１】
本考案は、人工的に形成した波によって駆動する発電システムの構造に関し、特に人工波の駆動力を利用して、電力を発生する発電システムの構造に関する。
【背景技術】
【０００２】
同じ考案者或いは申請者の台湾実用新案第Ｍ４５万５０６９号、台湾実用新案第Ｍ５１９６６９号、台湾実用新案第Ｍ４９０５１６号及び台湾特許申請案第２０１４３０２１２にて、いずれも人工波駆動発電システムに関連する技術内容を開示している。前記特許はいずれも第一レバーを利用してウェーブバレルを駆動し、更にウェーブバレルにより貯水容器内の水に高低の起伏する波を発生させる。高低の起伏する波により、フローティングボードはそれに従って高低の起伏動作を発生する。そして、フローティングボードが運動エネルギーを発生し、伝動ユニットに伝え、且つ慣性ターンテーブルを通じて、運動エネルギーを発電機に伝えて電力を発生する。本考案者は、構造設備をよりシンプル化し、騒音を下げ、更にデザインを改良し、人工波駆動発電システムを考案した。
【先行技術文献】
【特許文献】
【０００３】
【特許文献１】特開昭６０−１７８９７８号公報
【考案の概要】
【考案が解決しようとする課題】
【０００４】
本考案の第１の目的は、第一レバーを介してフローティングボードを駆動することで、貯水容器内の水に高低に起伏する波を発生させる。発生した波に共鳴作用により大きな力が発生したあと、フローティングボードの別側をコネクティングロッドを通じて、第二レバーと連動し、油圧シリンダーを駆動して往復運動を行い、且つ蓄圧タンクにて圧力を累積した後、油圧モータを通じて、減速装置によって発電機を伝動することで、電力を発生する一種の人工波駆動発電システムを提供することにある。
本考案の第２の目的は、騒音を下げ、且つ設備コストを下げる人工波駆動発電システムの構造を提供することにある。
本考案の第３の目的は、広く運用されることができ、相対的に比較的場所の制限を受けない。また汚染と廃棄材料が生じず、且つ貯水容器内の水は、繰り返して使用することができ、環境保護の原則に合致する。また、建設コストが低いため、一般的に建設コストが比較的高いソーラーエネルギー、或いは風力発電システムに比べ、より普及して運用される人工波駆動発電システムの構造を提供することにある。
【課題を解決するための手段】
【０００５】
前記課題を解決するために、本考案は人工波駆動発電システムの構造を提供するものである。本考案の主な目的は、第一レバーを介してフローティングボードを駆動することで、貯水容器内の水に高低に起伏する波を発生させる。その波に対する共鳴が発生したあと、フローティングボードの別側はコネクティングロッドを通じて、第二レバーと連動し、油圧シリンダーを駆動して往復運動を行い、且つ蓄圧タンクにて圧力を累積した後、油圧モータを通じて、減速装置によって発電機を駆動することで、電力を発生する。
【０００６】
本考案の次の目的は、騒音を下げ、且つ設備コストを下げることである。
【０００７】
本考案の更なる一つの目的は、広く運用されることができ、相対的に比較的場所の制限を受けない。また汚染と廃棄材料が生じず、且つ貯水容器内の水は、重複して使用することができ、環境保護の原則に合致する。また、建設コストが低いため、一般的に建設コストが比較的高いソーラーエネルギー、或いは風力発電システムに比べ、より普及して運用される。
【考案の効果】
【０００８】
本考案は油圧機の原理を利用して逆方向操作を行い、相対的に発電量を増やすことができ、且つ騒音を下げ、設備コストを下げることができる。広く運用することができ、相対的に場所の制限を受けない。また、汚染と廃棄物が生じず、且つ貯水容器内の水は、繰り返して使用することができ、環境保護の原則に合致する。また、建設コストが低いため、一般的に建設コストが比較的高いソーラーエネルギー或いは風力発電システムに比べ、より普及して運用される。
【図面の簡単な説明】
【０００９】
【図１】本考案の実施例の一部組立断面略図である。
【図２】本考案の実施例のモータ減速機が第一レバーを伝動する平面略図である。
【考案を実施するための形態】
【００１０】
以下、本考案の構造と特徴および効果を、最良実施例と図面を参照しながら詳細に説明する。
【実施例】
【００１１】
図１〜図２に示すのは、本考案の人工波駆動発電システムであり、それに含まれるのは第一レバーサポートフレーム１、第一レバー２、貯水容器５、油圧モータ８５、フローティングボード６、第二レバーサポートフレーム７０、油圧シリンダー８１、蓄圧タンク８４である。
【００１２】
第一レバーサポートフレーム１は、その底部を地面１０或いは建築物(図に未掲載)、或いは貯水容器５の適切な部位に固定する。その上方は第一枢接部品１２と第一レバー２の片側と枢接することにより、第一レバー２は伝動されて、前記枢接部品１２を支点としてピボットスイングする。
【００１３】
第一レバー２は、少なくともその片側サイドに、第二枢接部品２０を通じてプルロッド２１を枢接する。該プルロッド２１の下方は、第三枢接部品２２を通じて、一つのフローティングボード６の片側と枢接することで、フローティングボード６の片側を上向き、或いは下向きに往復作動させる。
前記第一レバー２の別側は、第一レバー伝動セット３によって伝動する。前記第一レバー伝動セット３は第一レバー２の別側により、二本のケーブル３１、３２と連繋する。図２に示すように、前記二本のケーブル３１、３２は、それぞれ数個の滑車３５、３６、３７、３８を通じて、その方向をガイドする。また、前記二本のケーブル３１、３２の別端３１１、３２１はそれぞれフロントクランク３３１及びリアクランク３３２と枢接する。前記フロントクランク３３１とリアクランク３３２はクランクシャフト３３の前後両サイドに設置する。前記クランクシャフト３３はスプロケット或いはプーリー３３３を設置し、チェーン或いはベルト３４を通じて、モータ減速機３０の軸心に設けるスプロケット或いはプーリー３０１によって伝動される。
【００１４】
貯水容器５は、上方中間の適切な高さの位置において、第四枢接部品５０を介して、一つのフローティングボード６を枢接する。
【００１５】
フローティングボード６の中間は、前記第四枢接部品５０を通じて、貯水容器５と枢設する。且つ前記フローティングボード６は、その片側は第三枢設部品２２を通じて第一レバー２のプルロッド２１の下方で枢接することで、該フローディングボード６の片側は、第一レバー２の駆動作用を受け、フローティングボード６は第四枢接部品５０の中心を支点として傾動する。また、フローティングボード６の両端側に高低落差を生じる動きにより、貯水容器５内の水にこの高低差に起因する波を発生させる。前記フローティングボード６は、第一レバー２の駆動作用を受けて両端側に高低落差の動きが生じるほか、更に貯水容器５内の高低差を以て運動する波と共鳴状態が発生すると、相対的に各フローティングボード６の別側に更に大きな運動エネルギーが生じる。前記フローティングボード６の別側は、第五枢接部品６１１を通じてコネクティングロッド６１の下方と枢接し、該コネクティングロッド６１の上方は、第六枢接部品６１２を通じて第二レバー６２の片側と枢接する。該第二レバー６２の別側６２１の下方は、第七枢接部品６２２を通じて、可動コネクティングロッド７１の一端と可動的に接続し、且つ該可動コネクトティングロッド７１の別端は、可動コネクタ７２を通じて、油圧シリンダー８１のシリンダー軸８１１の外端と枢接する。
【００１６】
第二レバーサポートフレーム７０は、その上方は第八枢接部品７０１を介して前記第二レバー６２と枢接する。該第二レバーサポートフレーム７０の底部は、地面或いは建築物或いは機械８０の適切な部位に固定する。
【００１７】
油圧シリンダー８１の片側上方に第一パイプライン９１を接続し、該第一パイプライン９１の下方は、第二パイプライン９２の適切な位置と接続する。該第二パイプライン９２の一端９２１と該油圧シリンダー８１の片側下方と接続する。該第二パイプライン９２の別端９２２はオイルタンク８３と接続することで、オイルタンク８３内のオイルは、前記第一、第二パイプライン９１、９２を通じて該油圧シリンダー８１の中に入れることができる。
該油圧シリンダー８１の別側上下はそれぞれ第三、第四パイプライン９３、９４を通じて蓄圧タンク８４の上下両側と接続する。前述第一、第二、第三、第四パイプライン９１、９２、９３、９４はそれぞれ適切な位置に第一、第二、第三、第四チェックバルブ９１０、９２０、９３０、９４０を設ける。且つ前述第二パイプライン９２のオイルタンク８３に近い場所に、第五チェックバルブ９２３と一つの制御スイッチ９２４を設ける。該制御スイッチ９２４は常に開いている状態であり、メンテナンスを行う時だけ閉める必要がある。該油圧シリンダー８１は往復運動をするシリンダー軸８１１を含む。
【００１８】
蓄圧タンク８４は前述第三、第四パイプライン９３、９４を通じて、前述油圧シリンダー８１のシリンダー軸８１１が往復運動を行う際、オイルを該蓄圧タンク８４内に押し入れることができる。該蓄圧タンク８４の片側は第五パイプライン９５と油圧モータ８５が接続し、且つ該第五パイプライン９５にプレッシャーレギュレーターコントロールバルブ９５１を設けることで、蓄圧タンク８４内の、該第五パイプライン９５を通じて油圧モータ８５に供給するオイルの流量を調整し、相対して蓄圧タンク８４の圧力を調整し、そして前記油圧モータ８５の回転速をコントロールする。該蓄圧タンク８４は圧力リリーフバルブ８４１を設け、該圧力リリーフバルブ８４１は第六パイプライン９６を通じて前述オイルタンク８３と接続する。前述圧力リリーフバルブ８４１は、該蓄圧タンク８４で蓄圧した圧力が設定の圧力を超過した時に、自動的に開いて圧力を開放することで、蓄圧タンク８４内のオイルは、前述第六パイプライン９６を通じてオイルタンク８３に流れることができる。そして設定の圧力まで圧力が下がると、該圧力リリーフバルブ８４１は再び自動的に閉めることで、蓄圧タンク８４内のオイルは、オイルタンク８３に流れるのをストップする。
【００１９】
油圧モータ８５は減速装置８６を通じて発電機８７を伝動する。該油圧モータ８５は第七パイプライン９７を通じて、前述第二パイプライン９２に設ける第五チェックバルブ９２３と接続する。
【００２０】
モータ減速機３０が回転すると、その軸心に設けたスプロケット或いはプーリー３０１は、チェーン或いはベルト３４を通じて、前記クランクシャフト３３の回転を伝動することで、クランクシャフト３３の前後両サイドに設けたフロントクランク、リアクランク３３１、３３２がそれぞれ枢接する二つのケーブル３１、３２を駆動する。これら二つのケーブル３１、３２はそれぞれ複数の滑車３５、３６、３７、３８のガイドを通じて、前記二つのケーブル３１、３２はそれぞれ第一レバー２を駆動してピボットスイングする。相対して第一レバー２と枢接するプルロッド２１は、フローティングボード６の片側を上向き、或いは下向きに往復動作させることで、貯水容器５内の水が高低に起伏する波が発生する。
前記フローティングボード６は第一レバー２によって駆動されることで、両サイドに高低の落差往復動作が生じると共に、更にそれぞれ貯水容器５内で高低に起伏する波と共鳴して、フローティングボード６の別側は更に大きな駆動運動エネルギーを得る。
前記フローティングボード６の別側は、枢接するコネクティングロッド６１を通じて第二レバー６２の片側と連動する。相対する該第二レバー６２の別側下方６２１は上下往復して油圧シリンダー８１のシリンダー軸８１１を上下に運動させ、それにより油圧シリンダー８１内のオイルは、前記シリンダー軸８１１の上下往復する加圧動作により送り出されて、第三、第四パイプライン９３、９４を通じて蓄圧タンク８４に入る。
前記油圧シリンダー８１のシリンダー軸８１１が往復動作して押し出すことで動力が生まれ、且つ蓄圧タンク８４で圧力を累積した後、該油圧モータ８５が減速装置８６を通じて発電機８７を伝動する。
よって発電機８７は電力が発生し、且つプレッシャーレギュレーターコントロールバルブ９５１によって、蓄圧タンク８４内の第五パイプライン９５を経て油圧モータ８５に供給するオイルの流量を調整することができ、相対的に蓄圧タンク８４の圧力を調整し、且つ油圧モータ８５の回転速度をコントロールする。
また、仮に前述の蓄圧タンク８４のオイル量或いは圧力が過大となって設定した圧力に達した場合、前述の圧力リリーフバルブ８４１をは自動的に開けて圧力を開放することで、蓄圧タンク８４内のオイルは、第六パイプライン９６を通じてオイルタンク８３に放出することができ、損壊を避けることができる。
蓄圧タンク８４が設定した圧力にまで圧力を開放すると、圧力リリーフバルブ８４１は再び自動的に閉じる。この時、蓄圧タンク８４内のオイルは、第六パイプライン９６を通じてオイルタンク８３に流れるのを停止する。
【００２１】
上記をまとめると、本考案は下記の効果増進を達成する：
【００２２】
1.モータ減速機３０は第一レバー２を伝動し、直接フローティングボード６を駆動することで、貯水容器５内の水は、高低に起伏する波が発生する。前記各フローティングボード６は、第一レバー２によって駆動されることで、両サイドに高低の落差動作が生じるほか、更に貯水容器５内で高低に起伏する波と共鳴した後、フローティングボード６の別側は更に大きな駆動運動エネルギーを具有する。それによりフローティングボード６はコネクティングロッド６１を介して第二レバー６２を連動し、油圧シリンダー８１のシリンダー軸８１１を駆動して上下運動することで、油圧シリンダー８１内のオイルが、シリンダー軸８１１の往復動作に伴って加圧されて蓄圧タンク８４内に送給され、
且つ蓄圧されたオイルにより該油圧モータ８５を駆動して、減速装置８６を介して発電機８７に伝動し、電力を生じる。
本考案は油圧機の原理を利用して逆方向操作を行い、相対的に発電量を増やすことができ、且つ騒音を下げ、設備コストを下げることができる。
【００２３】
２、広く運用することができ、相対的に場所の制限を受けない。また、汚染と廃棄物が生じず、且つ貯水容器５内の水は、繰り返し継続して使用することができ、環境保護の原則に合致する。また、建設コストが低いため、一般的に建設コストが比較的高いソーラーエネルギー或いは風力発電システムに比べ、より普及して運用される。
【符号の説明】
【００２４】
１  第一レバーサポートフレーム      
１０  地面
１２  第一枢接部品          
２  第一レバー
２０  第二枢接部品          
２１  プルロッド
２２  第三枢接部品          
３  第一レバー伝動セット
３０  モータ減速機          
３０１  プーリー
３１、３２  ケーブル            
３１１、３２１  別端
３３  クランクシャフト          
３３１  フロントクランク
３３２  リアクランク                
３３３  プーリー
３４  ベルト
３５、３６、３７、３８  滑車
５  貯水容器                
５０  第四枢接部品
６  フローティングボード                
６１  コネクティングロッド
６１１  第五枢接部品        
６１２  第六枢接部品
６２  第二レバー            
６２１、９２２  別側
６２２  第七枢接部品        
７０  第二レバーサポートフレーム
７０１  第八枢接部品        
７１  コネクティングロッド
７２  可動コネクタ          
８０  機械
８１  油圧シリンダー                
８３  オイルタンク
８４  蓄圧タンク                
８４１  圧力リリーフバルブ
８５  油圧モータ            
８６  減速装置
８７  発電機                
９１  第一パイプライン
９１０  第一チェックバルブ          
９２  第二パイプライン
９２０  第二チェックバルブ          
９２１  一端
９２３  第五チェックバルブ          
９２４  制御スイッチ
９３  第三パイプライン          
９３０  第三チェックバルブ
９４  第四パイプライン          
９４０  第四チェックバルブ
９５  第五パイプライン          
９５１  プレッシャーレギュレーターコントロールバルブ
９６  第六パイプライン          
９７  第七パイプライン
【図１】
0003216608.tif 000003
【図２】
0003216608.tif 000004